(57)【特許請求の範囲】
【請求項１】
使用者のまつげにマスカラ液を塗布し、まつげを梳くためのマスカラコームであって、
所定の曲率半径以上の曲率半径を有する凸状の曲面として形成された上面と、前記上面の曲率半径よりも小さな曲率半径を有する下面を有する櫛部を有し、
前記上面には、ひし形構造を複数形成するように、複数の突起要素が配置されており、
前記上面からの乖離距離を高さとするとき、前記突起要素において、前記高さ方向と直交する方向における断面は円形に形成されており、
前記ひし形構造は、前記櫛部の軸線方向の対角線がそれと直交する直交方向の対角線よりも長いひし形を形成し、かつ、前記直交方向に延びる直線状の隙間であって、前記まつげを梳きつつ前記マスカラ液を前記まつげに塗布するための所定の隙間を形成するように構成されており、
さらに、前記ひし形構造は、前記軸線方向へマスカラ液が流れる速度が、前記直交方向へ前記マスカラ液が流れる速度よりも遅くするための速度調整機構として機能する速度調整部であり、
前記上面において、前記ひし形構造の内側が前記マスカラ液を保持する機能を有する保持部であり、
複数の前記突起要素は、第一突起要素と、前記第一突起要素の根本部の断面直径よりも大きい根本部の断面直径を有する第二突起要素を含み、
前記第一突起要素及び前記第二突起要素は、前記根本部から頂点部近傍に向かって、断面直径が縮小する形状に形成されており、
前記上面において、複数の前記第一突起要素が配置されている領域が、前記第二突起要素が配置されて構成される第二突起要素列によって挟まれるように、前記第一突起要素及び前記第二突起要素が配置されており、
前記第二突起要素列によって挟まれる領域は、前記軸線方向へ前記マスカラ液が流れる速度を低減する機能を有する速度低減部であり、
前記第二突起要素の断面直径の縮径率は、前記第一突起要素の断面直径の縮径率よりも小さく規定されている、
マスカラコーム。
【請求項２】
前記直交方向において隣接する２つの前記突起要素の前記断面の中心間の距離はすべての前記突起要素に関して同一であり、
前記突起要素は、根本部から頂点近傍部へ向かうに連れて縮径する形状に形成されており、
さらに、前記突起要素は、前記軸線方向における中央部から側方へ向かうほど、前記突起要素の前記高さが高くなり、かつ、前記突起要素の直径の縮径率が小さくなるように構成されており、
複数の前記突起要素は、前記軸線方向において、前記マスカラ液が流れる速度を徐々に低減する速度漸減機構を構成する、
請求項１に記載のマスカラコーム。
【請求項３】
前記突起要素の表面粗さは、前記上面の表面粗さとの関係において、相対的に小さく構成されている、請求項１または請求項２に記載のマスカラコーム。
【請求項４】
使用者のまつげにマスカラ液を塗布し、まつげを梳くためのマスカラコームであって、
所定の曲率半径以上の曲率半径を有する凸状の曲面として形成された上面と、前記上面の曲率半径よりも小さな曲率半径を有する下面を有する櫛部を有し、
前記上面には、ひし形構造を複数形成するように、複数の突起要素が配置されており、
前記上面からの乖離距離を高さとするとき、前記突起要素において、前記高さ方向と直交する方向における断面は円形に形成されており、
前記ひし形構造は、前記櫛部の軸線方向の対角線がそれと直交する直交方向の対角線よりも長いひし形を形成し、かつ、前記直交方向に延びる直線状の隙間であって、前記まつげを梳きつつ前記マスカラ液を前記まつげに塗布するための所定の隙間を形成するように構成されており、
さらに、前記ひし形構造は、前記軸線方向へマスカラ液が流れる速度が、前記直交方向へ前記マスカラ液が流れる速度よりも遅くするための速度調整機構として機能する速度調整部であり、
前記上面において、前記ひし形構造の内側が前記マスカラ液を保持する機能を有する保持部であり、
前記上面において、前記直交方向における中心位置を含み、複数の前記突起要素によって前記軸線方向及び前記直交方向の境界が規定され、少なくとも一つの前記ひし形構造が前記上面に占める面積よりも大きい面積を占め、前記突起要素が配置されていない空間領域が形成されており、
前記境界を規定する前記突起要素によって、前記まつげを梳きつつ前記マスカラ液を前記まつげに塗布するための前記所定の隙間が形成され、
前記空間領域と接した前記まつげが、前記所定の隙間を通過するように構成されており、
前記空間領域は、
複数の部分領域から構成されており、
前記部分領域は、前記直交方向の幅が相対的に広い領域と相対的に狭い領域とが交互に配置されており、
前記直交方向における中央部近傍の位置を結ぶ線分は曲折するように構成されている、
マスカラコーム。
【発明の詳細な説明】
【技術分野】
【０００１】
本発明はマスカラ液をまつげに塗布し、まつげを梳くためのマスカラコームに関する。
【背景技術】
【０００２】
使用者が、粘性を有するマスカラ液をまつげに塗布するときに、多量のマスカラ液を塗布することができ、かつ、マスカラの固まり（以下、「ダマ」という）が小さな玉になってまつげに付着することがないようにすることが重要である。【０００３】
例えば、多数の毛から構成される塗布用ブラシと、歯状に形成されたコームが形成された整え用ブラシを備え、塗布用ブラシでマスカラ液をまつげに塗布し、整え用ブラシでまつげを梳くように構成されたマスカラブラシが提案されている（特許文献１）。
【先行技術文献】
【特許文献】
【０００４】
【特許文献１】特許第４２６０６７４号公報
【発明の概要】
【発明が解決しようとする課題】
【０００５】
使用者が、マスカラ液をまつげに塗布するときに、迅速に塗布することも重要である。ところが、上述のマスカラブラシにおいては、塗布用ブラシでマスカラ液をまつげに塗布する工程と、まつげの方向に向いていた塗布用ブラシの方向をまつげの方向と反対にし、整え用ブラシをまつげの方向に向かせて、整え用ブラシでまつげを梳くという複数の工程を別々に行う必要があるという問題がある。【０００６】
本発明は、上記を踏まえて、使用者が迅速に、ダマを形成することがなく、マスカラ液をまつげに塗布することができるマスカラコームを提供するものである。
【課題を解決するための手段】
【０００７】
第一の発明は、使用者のまつげにマスカラ液を塗布し、まつげを梳くためのマスカラコームであって、所定の曲率半径以上の曲率半径を有する凸状の曲面として形成された上面と、前記上面の曲率半径よりも小さな曲率半径を有する下面を有する櫛部を有し、前記上面には、ひし形構造を複数形成するように、複数の突起要素が配置されており、前記上面からの乖離距離を高さとするとき、前記突起要素において、前記高さ方向と直交する方向における断面は円形に形成されており、前記ひし形構造は、前記櫛部の軸線方向の対角線がそれと直交する直交方向の対角線よりも長いひし形を形成し、かつ、前記直交方向に延びる直線状の隙間であって、前記まつげを梳きつつ前記マスカラ液を前記まつげに塗布するための所定の隙間を形成するように構成されており、さらに、前記ひし形構造は、前記軸線方向へマスカラ液が流れる速度が、前記直交方向へ前記マスカラ液が流れる速度よりも遅くするための速度調整機構として機能する速度調整部であり、前記上面において、前記ひし形構造の内側が前記マスカラ液を保持する機能を有する保持部である、マスカラコームである。【０００８】
第一の発明の構成によれば、櫛部の上面が所定の曲率半径以上の曲率半径を有するから、マスカラ液を格納した容器からマスカラコームが引き出されるときに上面に留まり易く、さらに、複数の突起要素によって形成されるひし形構造によってマスカラ液の軸線方向の動きが制限され、マスカラ液がひし形構造の内側に保持される。マスカラコームは、軸線方向と直交する方向（以下、「直交方向」と呼ぶ。）において、使用者のまつげを梳くように使用されるのであるが、第一の発明の構成によれば、突起要素の間に直交方向に延びる複数の直線状の隙間が形成されているから、まつげがその隙間を通過することによって、まつげの先端までマスカラ液が塗布され、かつ、梳かれる。ここで、ひし形構造は、櫛部の軸線方向の対角線が直交方向の対角線よりも長いひし形である。これにより、直交方向における突起要素間の距離は、軸線方向における突起要素間の距離よりも短くなるから、マスカラ液の軸線方向の動きを効果的に制限することができる。また、このことは、軸線方向における突起要素間の距離は、直交方向における突起要素間の距離よりも長いことを意味し、これにより、まつげを梳きつつマスカラ液をまつげに塗布するための所定の隙間を形成することができる。すなわち、第一の発明のマスカラコームによれば、連続的な動作によって、櫛部の上面に保持したマスカラ液をまつげに塗布し、同じく櫛部の上面に形成された突起要素によって、マスカラ液をまつげ全体に塗布しつつ、まつげを梳くことができる。【０００９】
第二の発明は、第一の発明の構成において、前記直交方向において隣接する２つの前記突起要素の前記断面の中心間の距離はすべての前記突起要素に関して同一であり、前記突起要素は、根本部から頂点近傍部へ向かうに連れて縮径する形状に形成されており、さらに、前記突起要素は、前記軸線方向における中央部から側方へ向かうほど、前記突起要素の前記高さが高くなり、かつ、前記突起要素の直径の縮径率が小さくなるように構成されており、複数の前記突起要素は、前記軸線方向において、前記マスカラ液が流れる速度を徐々に低減する速度漸減機構を構成する、マスカラコームである。【００１０】
上面にマスカラ液が位置するとき、上面から液面までの高さが存在する。すなわち、上面だけではなく、突起要素もマスカラ液の流れ易さ・流れにくさを規定する要素である。突起要素の表面粗さが同じであれば、突起要素の外周の間の距離が短いほど、マスカラ液が突起要素の間を流れる速度は遅い。第二の発明の構成によれば、複数の突起要素は、側方へ向かうほど、直径の縮径率が小さくなるように形成されているから、側方に向かうほど、複数の突起要素の間を流れるマスカラ液の速度は遅い。このため、マスカラ液を格納した容器からマスカラコームが引き出されるときに、側方へのマスカラ液の移動速度が相対的に遅いため、上面の中央部近傍にマスカラ液が留まり易い。そして、マスカラ液の塗布時においては、中央近傍の突起要素の高さは相対的に低いが、マスカラ液が突起要素の間を相対的に流れ易いから、中央部近傍の突起要素に接するまつげに効果的にマスカラ液を塗布することができる。【００１１】
第三の発明は、第二の発明の構成において、複数の前記突起要素は、第一突起要素と、前記第一突起要素の断面直径よりも大きい断面直径を有する第二突起要素を含み、前記上面において、複数の前記第一突起要素が配置されている領域が、前記第二突起要素が配置されて構成される第二突起要素列によって挟まれるように、前記第一突起要素及び前記第二突起要素が配置されており、前記第二突起要素列によって挟まれる領域は、前記軸線方向へ前記マスカラ液が流れる速度を低減する機能を有する速度低減部である、マスカラコームである。【００１２】
第三の発明の構成によれば、マスカラ液を格納した容器からマスカラコームが引き出されるときに、断面直径が相対的に大きい第二突起要素によって構成される第二突起要素列によって、櫛部の軸線方向へのマスカラ液の動きが大きく制限され、マスカラ液が主に第一突起要素が配置されている領域に保持される。第一突起要素は、第二突起要素よりも断面直径が小さいから、単位面積当たり、突起要素が存在せずに露出した面積（以下、「露出面積」という。）が相対的に大きい。このため、第一領域には、相対的に多量のマスカラ液が保持される。第一領域に保持されるマスカラ液は、第一突起要素によって軸部の軸線方向の動きが制限され、マスカラ液が第一領域の外に出る動きは、第二突起要素列によって制限される。【００１３】
第四の発明は、第三の発明の構成において、前記第二突起要素の断面直径の縮径率は、前記第一突起要素の断面直径の縮径率よりも小さく規定されている、マスカラコームである。【００１４】
第四の発明の構成によれば、第二突起要素の根本部から頂点部近傍に至るまで、断面積が第一突起要素よりも大きいから、一層効果的に、マスカラ液の軸線方向への動きを制限することができる。【００１５】
第五の発明は、第一の発明乃至第四の発明のいずれかの構成において、前記突起要素の表面粗さは、前記上面の表面粗さとの関係において、相対的に小さく構成されている、マスカラコームである。【００１６】
第五の発明の構成によれば、突起要素の表面粗さが上面との相対的な関係において小さから、表面粗さが相対的に大きい上面に保持されたマスカラ液を円滑にまつげに移転させると共に、効果的にまつげを梳くことができる。【００１７】
第六の発明は、第一の発明乃至第五の発明のいずれかの構成において、前記上面において、前記直交方向における中心位置を含み、複数の前記突起要素によって前記軸線方向及び前記直交方向の境界が規定され、少なくとも一つの前記ひし形構造が前記上面に占める面積よりも大きい面積を占め、前記突起要素が配置されていない空間領域が形成されており、前記境界を規定する前記突起要素によって、前記まつげを梳きつつ前記マスカラ液を前記まつげに塗布するための前記所定の隙間が形成され、前記空間領域と接した前記まつげが、前記所定の隙間を通過するように構成されているマスカラコームである。【００１８】
第六の発明の構成によれば、空間領域には突起要素が配置されていないから、突起要素が配置されている領域に比べて多量のマスカラ液を保持することができる。さらに、空間領域の境界を規定する突起要素が所定の隙間を形成するから、突起要素によって、保持したマスカラ液をまつげに塗布し、さらに、まつげを梳くことができる。【００１９】
第七の発明は、第六の発明の構成において、前記空間領域は、複数の部分領域から構成されており、前記部分領域は、前記直交方向の幅が相対的に広い領域と相対的に狭い領域とが交互に配置されており、前記直交方向における中央部近傍の位置を結ぶ線分は曲折するように構成されている、マスカラコームである。【００２０】
第七の発明の構成によれば、空間領域は、相対的に幅が広い領域と狭い領域が交互に配置されているから、マスカラ液の流れの速度が低減する。さらに、直交方向における中央部近傍の位置を結ぶ線分は曲折するように構成されているから、マスカラ液の流れの速度はさらに低減する。これにより、空間領域において、一層効果的にマスカラ液を保持することができる。
【発明の効果】
【００２１】
本発明にかかるマスカラコームによれば、使用者が迅速に、ダマを形成することがなく、マスカラ液をまつげに塗布することができる。
【図面の簡単な説明】
【００２２】
【図１】本発明の第一の実施形態にかかるマスカラコームの概略全体図である。
【図２】マスカラコームがマスカラ液の容器と係合した状態を示す概略図である。
【図３】マスカラコームがマスカラ液の容器から引き出された状態を示す概略図である。
【図４】櫛部を示す概略斜視図である。
【図５】櫛部を示す概略平面図等である。
【図６】櫛部を示す概略側面図である。
【図７】櫛部に配置される突起を示す概略拡大図である。
【図８】櫛部の上面及び突起を示す概略拡大図である。
【図９】櫛部の軸線方向に直交する方向（図４のＡ−Ａ線）における概略断面図である。
【図１０】櫛部の上面におけるマスカラ液の保持領域を示す概略図である。
【図１１】マスカラコームが容器から引き出されるときの櫛部におけるマスカラ液の保持領域を示す概略図である。
【図１２】マスカラ液の保持領域における突起の配置状態を示す概略図である。
【図１３】まつげを梳くための突起の配置状態を示す概略図である。
【図１４】まつげを梳くための突起の配置状態を示す概略図である。
【図１５】マスカラコームの使用方法を示す概略図である。
【図１６】マスカラコームの使用方法を示す概略図である。
【図１７】マスカラコームの使用方法を示す概略図である。
【図１８】マスカラコームの使用方法を側面から視た概略図である。
【図１９】マスカラコームの使用方法を側面から視た概略図である。
【図２０】マスカラコームの使用方法を側面から視た概略図である。
【図２１】マスカラコームの使用方法を側面から視た概略図である。
【図２２】櫛部によってまつげの根本にマスカラ液を付着させる状態を示す概略図である。
【図２３】櫛部によってまつげを梳く状態を示す概略図である。
【図２４】櫛部によってまつげを梳く状態を示す概略図である。
【図２５】第二の実施形態の櫛部を示す概略斜視図である。
【図２６】櫛部を示す概略平面図である。
【図２７】櫛部の上面におけるマスカラ液の保持領域を示す概略図である。
【図２８】第三の実施形態の櫛部を示す概略斜視図である。
【図２９】櫛部を示す概略平面図等である。
【図３０】櫛部に配置される第一突起及び第二突起を示す概略拡大図である。
【図３１】櫛部の上面におけるマスカラ液の保持領域を示す概略図である。
【図３２】マスカラコームが容器から引き出されるときの櫛部におけるマスカラ液の保持領域を示す概略図である。
【図３３】マスカラ液の保持領域における第一突起及び第二突起の配置状態を示す概略図である。
【図３４】まつげを梳くための突起の配置状態を示す概略図である。
【図３５】まつげを梳くための突起の配置状態を示す概略図である。
【図３６】まつげを梳くための突起の配置状態を示す概略図である。
【図３７】櫛部によってまつげの根本にマスカラ液を付着させる状態を示す概略図である。
【図３８】櫛部によってまつげを梳く状態を示す概略図である。
【図３９】櫛部によってまつげを梳く状態を示す概略図である。
【図４０】第四の実施形態の櫛部を示す概略斜視図である。
【図４１】櫛部を示す概略平面図である。
【図４２】櫛部の上面におけるマスカラ液の保持領域を示す概略図である。
【図４３】第五の実施形態の櫛部を示す概略斜視図である。
【図４４】櫛部を示す概略平面図である。
【図４５】櫛部の上面におけるマスカラ液の保持領域を示す概略図である。
【図４６】第六の実施形態の櫛部を示す概略平面図である。
【図４７】櫛部の上面におけるマスカラ液の保持領域を示す概略図である。
【図４８】第七の実施形態の櫛部を示す概略平面図である。
【図４９】櫛部の上面におけるマスカラ液の保持領域を示す概略図である。
【発明を実施するための形態】
【００２３】
以下、本発明を実施するための形態（以下、実施形態）について詳細に説明する。以下の説明においては、同様の構成には同じ符号を付し、その説明を省略又は簡略する。なお、当業者が適宜実施できる構成については説明を省略し、本発明の基本的な構成についてのみ説明する。
【００２４】
＜第一の実施形態＞
図１に示すように、マスカラコーム１は、櫛部１０、ロッド（柄）５０及び握り部材７０で構成される。ロッド５０の一方の端部に櫛部１０が接続され、他方の端部に握り部材７０が接続されている。マスカラコーム１は、使用者のまつげにマスカラ液１００（図２参照）を塗布し、まつげを梳くためのマスカラコームである。
【００２５】
図２に示すように、マスカラコーム１は、マスカラ液１００が格納された容器１０２と着脱自在な態様において係合する。握り部材７０は、使用者がマスカラコーム１を操作する際の握り部として機能する。握り部材７０は、また、容器１０２の密閉蓋としても機能する。
【００２６】
図２に示す状態において、容器１０２からマスカラコーム１を矢印Ｙ１方向に引き出すと、図３に示すように、マスカラコーム１の櫛部１０にマスカラ液１００が付着した状態となる。矢印Ｙ１方向は鉛直方向であるとする。使用者は、容器１０２からマスカラコーム１を下方から上方へ引き出す。以下、櫛部１０の構成を説明する。
【００２７】
図４に示すように、櫛部１０は上面１０ａと下面１０ｂで構成される。上面１０ａは、所定の曲率半径以上の曲率半径を有する上に凸の凸状の曲面である。下面１０ｂは、所定の曲率半径を有する曲面であるが、その曲率半径は上面１０ａの曲率半径よりも小さい。すなわち、上面１０ａは、下面１０ｂとの対比において、平坦に近い曲面である。下面１０ｂは、表面１０ｂａと凹部１０ｂｂを有する。
【００２８】
上面１０ａには、複数の第一突起１２が配置されている。第一突起１２は突起要素の一例である。第一突起１２は、全体として細長い円錐形状である。すなわち、第一突起１２は、根本部から頂点近傍部へ向かうに連れて縮径する形状に形成されており、頂点及び頂点近傍部は球面として構成されている。複数の第一突起１２によって第一突起列ＢＬ１が形成される。上面１０ａには、複数の第一突起列ＢＬ１が互いに平行に配置されている。第一突起列ＢＬ１は突起要素列の一例である。
【００２９】
第一突起１２を含む櫛部１０は、プラスチック樹脂を射出成型することによって形成される。プラスチック樹脂は、例えば、ポリエチレン（ｐｏｌｙｅｔｈｙｌｅｎｅ）、ポリプロピレン（ｐｏｌｙｐｒｏｐｙｌｅｎｅ）、ポリアミド（ｐｏｌｙａｍｉｄｅ）である。
【００３０】
図５は、図４の櫛部１０を矢印Ｚ１方向から視た概略平面図である。図５に示す第一突起１２は、根本における断面を示している。本明細書において、第一突起１２の断面及び後述の第二突起１４の断面は、他に説明を加えない限り、第一突起１２または第二突起１４の高さ方向と直交する方向に切断した断面であり、円形の面を意味する。また、第一突起１２の直径または第二突起１４の直径とは、他に説明を加えない限り、第一突起１２または第二突起１４の断面の直径（以下、「断面直径」と呼ぶ。）を意味する。そして、第一突起１２の半径または第二突起１４の半径とは、他に説明を加えない限り、第一突起１２または第二突起１４の断面の半径（以下、「断面半径」と呼ぶ。）を意味する。第二突起１４については、第三の実施形態乃至第五の実施形態によって説明する。本明細書において、軸線Ｂが延びる方向を「軸線方向」と呼び、上述のように、軸線方向に直交する方向を「直交方向」と呼ぶ。軸線Ｂは、櫛部１０において、直交方向における中心位置を通る線である。
【００３１】
上面１０ａの面積を面積Ｍ１とする。複数の第一突起１２の根本の断面の面積の合計をＭ３とする。そして、上面１０ａにおいて、第一突起１２が存在せずに露出した領域（以下、「露出領域」という。）の面積（以下、「露出面積」という。）をＭ２とする。すなわち、式１：Ｍ２＝Ｍ１−Ｍ３、である。露出領域において、複数のひし形構造Ｓ１の内側の領域を第一領域１０ａ１（図１０参照）とする。マスカラ液１００は、主に、第一領域１０ａ１に保持される。
【００３２】
面積Ｍ１に対する面積Ｍ２の割合（Ｍ２／Ｍ１）である露出比率は所定範囲内において規定されている。具体的には、露出比率は、０．８５以上０．９７以下に規定されている。すなわち、上面１０ａにおいて、第一突起１２が存在しない露出面積は、第一突起１２の根本の断面の面積の合計よりも大きい。本実施形態において、面積Ｍ１は、１０５ｍｍ２（平方ミリメートル）であるとする。
【００３３】
第一突起１２は、上面１０ａにおいて、均等に配置されている。すなわち、軸線方向における隣接する２つの第一突起１２の断面の中心間の距離は、いずれの第一突起１２に着目しても等しい。また、直交方向における隣接する２つの第一突起１２の断面の中心間の距離は、いずれの第一突起１２に着目しても等しい。
【００３４】
上面１０ａに、第一突起１２は、例えば、２０５個配置されており、第一突起１２の根本の断面半径は０．１２５ｍｍ（ミリメートル）であるとする。そうすると、第一突起１２の根本の断面積は、０．０４９ｍｍ２（平方ミリメートル）であり、第一突起１２は２０５個あるから、断面積の合計Ｍ３は１０．０４５ｍｍ２（平方ミリメートル）である。式１により、露出面積Ｍ２は、９４．９６ｍｍ２（平方ミリメートル）である。そして、露出比率（Ｍ２／Ｍ１）は、０．９０である。
【００３５】
図５に示すように、複数の第一突起１２は、ひし形構造Ｓ１を形成するように上面１０ａに配置されている。ひし形構造Ｓ１は複数配置されている。ひし形構造Ｓ１は、各辺を隣接するひし形構造Ｓ１と共有している。ひし形構造Ｓ１は、軸線Ｂの方向の対角線が直交方向の対角線よりも長いひし形である。後述のように、ひし形構造Ｓ１において、軸線方向の対角線を構成する２つの第一突起１２は、所定の隙間を形成するように配置されている。所定の隙間は、第一突起１２と干渉することがない隙間であり、直交方向に延びる直線状の隙間であって、まつげを梳きつつマスカラ液１００をまつげ塗布するための構成である。そして、ひし形構造Ｓ１は、櫛部１０の軸線方向の対角線が前記直交方向の対角線よりも長い形状に構成されているから、軸線方向へマスカラ液が流れる速度が、直交方向へマスカラ液１００が流れる速度よりも遅い速度調整機構として機能する速度調整部であり、かつ、上面１０ａにおいて、ひし形構造Ｓ１の内側がマスカラ液１００を保持する機能を有する保持部である。
【００３６】
上述の複数のひし形構造Ｓ１を形成するために、複数の第一突起１２は以下に説明するように配置される。図５に示すように、各第一突起列ＢＬ１は、複数の第一突起１２の断面における中心位置が等間隔の長さＬＣとなるように配置されて構成されている。
【００３７】
隣接する第一突起列ＢＬ１の中心線同士の間隔について、所定の基準間隔の長さＣ１が規定されている。第一突起列ＢＬ１の中心線とは、第一突起列ＢＬ１を構成する複数の第一突起１２の断面の中心を結ぶ線である。基準間隔の長さＣ１は、例えば、１．０ｍｍ（ミリメートル）である。
【００３８】
また、ひし形構造Ｓ１を形成するために、第一突起列ＢＬ１は、櫛部１０の軸線Ｂに対して、所定の角度θ１を有して配置されている。角度θ１は、０度よりも大きく４５度よりも小さい角度であり、望ましくは２５度以上４５度未満であり、本実施形態においては、４０度である。このような角度θ１を有することにより、ひし形構造Ｓ１を形成し、軸線方向へのマスカラ液１００の動きを制限するとともに、マスカラ液１００を平均的にまつげへ塗布することができるようになっている。
【００３９】
図６は、櫛部１０の概略側面図である。図６に示すように、櫛部１０の中央部から側方（外側）に向かうにつれて、第一突起１２の高さは高くなるように構成されている。これにより、複数の第一突起１２から構成されるコームの形状を瞼の形状、あるいは、複数のまつげの根本で形成される形状に整合させている。例えば、最も外側の第一突起１２Ａの高さｈ１は２．５ｍｍであり、最も内側の第一突起１２Ｂの高さｈ２は１．５ｍｍである。図４の概略斜視図においては、複数の第一突起１２の間における高さの相違の図示は省略しており、このことは、第二の実施形態乃至第七の実施形態における第一突起１２及び／または第二突起１４の高さについても同様である。なお、本実施形態とは異なり、複数の第一突起１２及び／または第二突起１４がすべて同一の高さを有するように構成してもよく、このことは、第二の実施形態乃至第七の実施形態における第一突起１２及び／または第二突起１４の高さについても同様である。
【００４０】
図７は、軸部１０の最も外側に位置する第一突起１２Ａと中央部に位置する第一突起１２Ｂを側面から視た概略図である。図７に示すように、第一突起１２Ａは高さｈ１を有し、第二突起１２Ｂは高さｈ２を有する。高さｈ２は高さｈ１よりも低い。そして、第一突起１２Ａと第一突起１２Ｂは、根本部において同一の断面直径１２ｄ１を有し、頂点近傍において同一の断面直径１２ｄ２を有する。これは、第一突起１２Ａが根本部から頂点近傍に向かって縮径していく割合（縮径率）は、第一突起１２Ｂが根本部から頂点近傍に向かって縮径していく割合（縮径率）よりも小さいことを意味する。言い換えると、図７の右端の図に示すように、高さｈ２までに着目すると、第一突起１２Ａの側面視における面積が、第一突起１２Ｂの側面視における面積よりも大きいことを意味する。これにより、軸部１０の側方に向かうほど、第一突起１２の間において、マスカラ液１００の流れに対する抵抗が大きくなっている。本実施形態において、例えば、第一突起１２の根本部の断面直径１２ｄ１は０．２５ｍｍであり、頂点近傍の断面直径１２ｄ２は０．１７ｍｍである。
【００４１】
図８に示すように、第一突起１２は、上面１０ａに配置される。第一突起１２の表面の粗さは、上面１０ａの表面の粗さよりも小さい。すなわち、第一突起１２の表面は相対的に凹凸が小さいのに対して、上面１０ａにおいて第一突起１２が存在せずに露出した露出領域は、相対的に凹凸が大きい。これにより、マスカラ液１００は、上面１０ａの露出領域において留まりやすく、第一突起１２の表面において留まりにくくなっている。この構成により、上面１０ａの露出領域にマスカラ液１００を保持し、第一突起１２によって、マスカラ液１００をまつげに効果的に移転させるするとともに、まつげを効果的に梳くことが可能になっている。
【００４２】
図９に示すように、上面１０ａは所定の曲率半径Ｒ１を有する曲面として形成されており、下面１０ｂは所定の曲率半径Ｒ２を有する曲面として形成されている。曲率半径Ｒ２の２倍が、図５の短軸長さｄ１である。上面１０ａの曲率半径Ｒ１は、下面１０ｂの曲面の曲率半径Ｒ２の１．９倍以上の長さとして規定されている。例えば、曲率半径Ｒ１は４．１７ｍｍであり、曲率半径Ｒ２は２．１ｍｍである。すなわち、上面１０ａは、下面１０ｂに対して、平坦に近い曲面として形成されている。
【００４３】
図１０に示すように、上面１０ａにおいて、ひし形構造Ｓ１の内側が第一領域１０ａ１である。第一領域１０ａ１が、マスカラ液１００を保持する主な領域である。
【００４４】
以下、図１１及び図１２を参照して、マスカラコーム１が容器１０２から引き出されるときの、櫛部１０の上面１０ａにおけるマスカラ液１００の動きを説明する。マスカラコーム１を容器１０２から引き出すときには、櫛部１０の軸線Ｂが略鉛直方向になるように、下方から上方へ向かって引き出す。マスカラ液１００は、粘性を有するから、上面１０ａに付着した状態で、重力が作用しても、迅速には下方へ向かわず、ゆっくりと、下方に流れる。ここで、上面１０ａにおいて、マスカラ液１００が下方へ向かう流れに対する抵抗があると、より多量のマスカラ液１００が上面１０ａに保持される。
【００４５】
第一領域１０ａ１には、第一突起１２が配置されており、マスカラ液１００の流れに対する抵抗になる。図１１に示すように、第一領域１０ａ１において、第一突起１２の存在が抵抗となり、マスカラ液１００は、ゆっくりと、かつ、矢印Ｗ１に示すように、蛇行しつつ下方に流れる。
【００４６】
第一突起１２は、図１１及び図１２に示すように、ひし形構造Ｓ１を形成している。すなわち、複数の第一突起１２は、多数のひし形構造Ｓ１を形成しつつ、配置されている。ひし形構造Ｓ１によって、第一領域１０ａ１にマスカラ液１００が保持され、かつ、まつげ２０２を梳くための構成が形成される。
【００４７】
図１１及び図１２に示すように、ひし形構造Ｓ１において、軸線方向の対角線が直交方向の対角線よりも長い。このため、隣接する第一突起１２間において、軸線方向における距離（Ｌ２）よりも、直交方向における距離（Ｌ１）が短い。これにより、マスカラ液１００の軸線方向への流れに対する抵抗を大きくし、マスカラ液１００が第一領域１０ａ１に効果的に保持される。
【００４８】
ひし形構造Ｓ１において、隣接する第一突起１２の断面の中心間の直交方向の距離は距離Ｌ１であり、第一突起１２の外周間の距離は距離ｗｖ１である。これに対して、隣接する第一突起１２の断面の中心間の軸線方向の距離は距離Ｌ２であり、第一突起１２の外周間の距離は距離ｗｈ１である。距離ｗｖ１は、距離ｗｈ１よりも短い。これにより、マスカラ液１００の軸線方向の流れを効果的に制限することができる。
【００４９】
図１２に示すように、距離Ｌ２は、第一突起１２の断面半径の２倍よりも長い。これにより、第一突起１２の間には距離ｗｈ１の隙間Ｆ１が形成され、以下に示すように、まつげを梳くときのまつげの通路となる。例えば、距離Ｌ２は、０．５ｍｍであり、第一突起１２の断面半径の２倍は０．２５ｍｍであり、距離ｗｈ１は０．２５ｍｍである。
【００５０】
上述のように、櫛部１０の側方へ向かうほど、第一突起１２の縮径率は小さくなる。このため、図１１に示すように、櫛部１０の中央部近傍におけるマスカラ液１００の流れの速度Ｖ１よりも側方における流れの速度Ｖ２は遅く、さらに、側方に向かうと、速度Ｖ３、Ｖ４、Ｖ５と徐々に遅くなる。すなわち、複数の第一突起１２は、速度漸減機構を構成している。
【００５１】
図１３及び図１４を参照して、櫛部１０によって、まつげ２０２を梳くための構成を詳細に説明する。図１３及び図１４に示すように、第一突起１２は、直交方向において直線状に配列され、複数の直線列ＢＣ１を構成している。直線列ＢＣ１の間には直交方向に延びる複数の直線状の隙間Ｆ１が形成されており、まつげ２０２は隙間Ｆ１を通過することによって、マスカラ液１００が全体に塗布され、かつ、梳かれる。第一突起１２の断面直径の縮径率は、側方へ向かうほど小さい。第一突起１２の断面直径の縮径率は、中央部に近いほど大きいから、櫛部１０の中央部は側方よりも、第一突起１２の間において、マスカラ液１００が移動する速さが速い。つまり、中央部における速度Ｖｈ１は、側方における速度Ｖｈ２よりも速い。
【００５２】
上述のように、第一突起１２は、複数のひし形構造Ｓ１を形成するように配置されている。このため、複数の第一突起１２は、第一突起列ＢＬ１を構成し、第一突起列ＢＬ１は、櫛部１０の軸線Ｂに対して、所定の角度θ１を有して配置されている。角度θ１は、等間隔の長さＬＣ（図５参照）と、第一突起１２の半径に基づいて、上述の隙間Ｆ１を生じるように規定されている。
【００５３】
等間隔の長さＬＣが決まっていれば、上述の隙間Ｆ１を形成するように、第一突起列ＢＬ１及び後述の第二突起列ＢＬ２の軸線方向に対する角度θ１が規定される。角度θ１は、ひし形構造Ｓ１の軸線方向に対する角度でもある。
【００５４】
第一突起１２の根本の半径をＲ１２とすれば、式２：ＬＣ・ｃｏｓθ１＞Ｒ１２×２、を満たすように、角度θ１が規定される。すなわち、角度θ１は、等間隔の長さＬＣと半径Ｒ１２によって規定される。なお、距離Ｌ２（図１２参照）は、式３：Ｌ２＝ＬＣ・ｃｏｓθ１で与えられる。このため、上記式２を変形すると、式２Ａ：Ｌ２＞Ｒ１２×２、となる。
【００５５】
櫛部１０においては、第一突起列ＢＬ１は、櫛部１０の軸線方向に対して上述の角度θ１を有して配置されているから、軸線方向へのマスカラ液１００の流れを効果的に制限するとともに、適度な大きさの隙間Ｆ１を形成し、マスカラ液１００を複数のまつげ２０２に相応な程度に均等に塗布することができる。
【００５６】
以上のように、複数のひし形構造Ｓ１は、マスカラ液１００を領域１０ａ１に保持する保持力と、まつげ２０２に均等にマスカラ液１００を塗布するための構成である。
【００５７】
以下、図１５乃至図２１を参照して、マスカラコーム１の使用方法を説明する。上述のように、マスカラコーム１は、容器１０２から引き出されたときには、櫛部１０の上面１０ａにマスカラ液１００が付着している。図１５及び図１８に示すように、上面１０ａの長手方向に沿った端部１０をまつげ２０２の根本に押し当て、上面１０ａに付着したマスカラ液１００をまつげ２０２の根本に付着させる。続いて、図１６及び図１７、及び、図１９乃至図２１に示すように、上面１０ａに保持したマスカラ液１００をまつげ２０２に付着させつつ、櫛部１０をわずかに回動させて、第一突起１２でまつげ２０２を梳きながら、マスカラ液１００をまつげ２０２の全体に付着させる。
【００５８】
図２２乃至図２４を参照して、まつげ２０２にマスカラ液１００が塗布されて、櫛部１０によってマスカラ液１００が延ばされ、かつ、まつげ２０２が梳かれる状態を説明する。
【００５９】
図２２に示すように、櫛部１０が水平に保持されると、マスカラ液１００の一部は、下方（矢印Ｘ２に示す方向）、すなわち、上面１０ａの端部１０ａ１１に移動する。端部１０ａ１１がまつげ２０２の根本に押し当てられると、まつげ２０２の根本にマスカラ液１００が付着する。そして、櫛部１０をわずかに回動させつつ矢印Ｘ１方向へ移動させると、図２３及び図２４に示すように、上面１０ａに保持したマスカラ液１００がまつげ２０２に付着させられつつ、マスカラ液１００がまつげ２０２の全体に塗布され、かつ、まつげ２０２は直線列ＢＣ１の間を通過し、梳かれる。上述のように、櫛部１０の上面１０ａは、下面１０ｂに対して平坦に近い曲面であるから、マスカラ液１００の保持力が一層大きくなる。そして、使用者２００が櫛部１０の上面１０ａの端部をまつげ２０２の根本に押し当ててマスカラ液１００を付着させるときに、櫛部１０の下面１０ｂが曲面であると、上面１０ａの端部と下面１０ｂの曲面が連続的になっているから、使用者２００が端部との距離感を把握しやすい。これに対して、下面１０ｂが平坦であると、上面１０ａの端部と下面１０ｂが非連続的になり、上面１０ａの端部との距離間を把握しにくい。すなわち、上面１０ａと下面１０ｂが曲面であり、しかも、上面１０ａの曲率半径Ｒ１と下面１０ｂの曲率半径Ｒ２が上記の関係を有することによって、上面１０ａにマスカラ液１００の保持力を一層大きくすることができ、かつ、使用者２００が櫛部１０の上面１０ａの端部をまつげ２０２の根本に押し当ててマスカラ液１００を付着させるときに、端部との距離感を把握しやすい。
【００６０】
上述のように、櫛部１０の上面１０ａが所定の曲率半径以上の曲率半径を有するから、マスカラ液１００を格納した容器１０２からマスカラコーム１が引き出されるときに上面１０ａに留まり易く、さらに、複数の第一突起１２によって形成されるひし形構造Ｓ１によってマスカラ液１００の軸線方向の動きが制限され、マスカラ液１００がひし形構造Ｓ１の内側に保持される。マスカラコーム１は、直交方向において、使用者のまつげを梳くように使用されるのであるが、第一突起１２の間に直交方向に延びる複数の直線状の隙間が形成されているから、まつげがその隙間を通過することによって、まつげの先端までマスカラ液１００が塗布され、かつ、梳かれる。ここで、ひし形構造Ｓ１は、櫛部１０の軸線方向の対角線がそれと直交する直交方向の対角線よりも長いひし形である。これにより、直交方向における第一突起１２の距離は、軸線方向における第一突起１２間の距離よりも短くなるから、マスカラ液１００の軸線方向の動きを効果的に制限することができる。これは、軸線方向における第一突起１２間の距離は、直交方向における第一突起１２間の距離よりも長いことを意味し、これにより、まつげを梳きつつマスカラ液１００をまつげに塗布するための所定の隙間を形成することができる。すなわち、マスカラコーム１によれば、連続的な動作によって、櫛部１０の上面１０ａに保持したマスカラ液１００をまつげに塗布し、同じく櫛部１０の上面１０ａに形成された第一突起１２によって、マスカラ液１００をまつげ全体に塗布しつつ、まつげを梳くことができる。
【００６１】
また、上面１０ａにマスカラ液１００が位置するとき、上面１０ａから液面までの高さが存在する。すなわち、上面１０ａだけではなく、第一突起１２の外周面もマスカラ液１００の流れ易さ・流れにくさを規定する要素である。第一突起１２の表面粗さが同じであれば、隣接する２つの第一突起１２の外周面の間の距離が短いほど、マスカラ液１００が第一突起１２の間を流れる速度は遅い。複数の第一突起１２は、側方へ向かうほど、直径の縮径率が小さくなるように形成されているから、側方ほどマスカラ液１００の流れる速度は遅い。このため、マスカラ液１００を格納した容器１０２からマスカラコーム１が引き出されるときに、側方へのマスカラ液１００の移動速度が相対的に遅いため、上面１０ａの中央部近傍にマスカラ液１００が留まり易い。そして、マスカラ液１００の塗布時においては、中央近傍の第一突起１２の高さは相対的に低いが、マスカラ液１００が相対的に流れ易いから、中央部近傍の突起要素に接するまつげに効果的にマスカラ液１００を塗布することができる。
【００６２】
さらに、第一突起１２の表面粗さが上面１０ａとの相対的な関係において小さいから、表面粗さが相対的に大きい上面１０ａに保持されたマスカラ液１００をまつげに移転させると共に、円滑にまつげを梳くことができる。
【００６３】
＜第二の実施形態＞
第二の実施形態について、図２５乃至図２７を参照して、第一の実施形態と相違する点を中心に説明する。第二の実施形態の櫛部１０Ａにおいては、第一突起１２が配置されていない空間領域１０ａ２が形成されている。空間領域１０ａ２が多量のマスカラ液１００を保持し、空間領域１０ａ２の境界を構成する第一突起１２によって所定の隙間が形成され、まつげが複数の第一突起１２の所定の隙間を通過することによって、まつげにマスカラ液１００を塗布し、まつげを梳くことができるように構成されている。
【００６４】
空間領域１０ａ２は、互いに独立した複数の空間として構成されている。空間領域１０ａ２は、上面１０ａにおいて、直交方向における中心位置を含み、複数の第一突起１２によって軸線方向及び直交方向の境界が規定される領域であって、第一突起１２が配置されていない領域である。ここで、直交方向における中心位置とは、軸線Ｂが通過する位置である。
【００６５】
空間領域１０ａ２は、少なくとも一つのひし形構造Ｓ１が上面１０ａに占める面積よりも大きい面積を占める。このため、空間領域１０ａ２は、第一領域１０ａ１よりも単位面積あたり、多くのマスカラ液１００を保持することができる。
【００６６】
面積Ｍ１に対する面積Ｍ２の割合（Ｍ２／Ｍ１）である露出比率は、０．８５以上０．９７以下に規定されている。本実施形態において、面積Ｍ１は１０５ｍｍ２（平方ミリメートル）であるとする。
【００６７】
上面１０ａに、第一突起１２は１５９個配置されており、第一突起１２の根本の断面半径は０．１２５ｍｍ（ミリメートル）であるとする。そうすると、第一突起１２の根本の断面積は、０．０４９ｍｍ２（平方ミリメートル）であり、第一突起１２は１５９個あるから、断面積の合計Ｍ３は７．７９１ｍｍ２（平方ミリメートル）である。式１：Ｍ２＝Ｍ１−Ｍ３により、露出面積Ｍ２は、９７．２１ｍｍ２（平方ミリメートル）である。そして、露出比率（Ｍ２／Ｍ１）は、０．９３である。
【００６８】
また、図２６に示すように、直交方向において、まつげ２０２の両側面が、必ず、第一突起１２の間の隙間を通過するように第一突起１２によって空間領域１０ａ２の境界が規定されており、まつげ２０２を梳くことができるようになっている。すなわち、図２６に示すように、空間領域１０ａ２において、直交方向に最も乖離した第一突起１２ｅ１及び１２ｅ２の間の距離Ｌ３は、その他の第一突起１２間の距離Ｌ３と等しくなるように構成されている。距離Ｌ３は、隣接する第一突起１２の根本における外周面同士の距離である。
【００６９】
また、図２７に示すように、空間領域１０ａ２において、直交方向における中心位置の幅ｗ１は、直交方向における端部における幅ｗ２よりも広い。言い換えると、空間領域１０ａ２は、櫛部１０Ａの軸線Ｂに相対的に近い位置において、軸線Ｂから相対的に遠い位置よりも広く構成されている。このため、空間領域１０ａ２において、マスカラ液１００の直交方向への流れを制限し、かつ、直交方向の中心近傍において、より多くのマスカラ液１００を保持することができる。これにより、マスカラコーム１を容器１０２から引き上げたときに、直交方向への流れを制限し、より多くのマスカラ液１００が上面１０ａに保持される。
【００７０】
上述のように、空間領域１０ａ２には第一突起１２が配置されていないから、単位面積当たり、第一突起１２が配置されている第一領域１０ａ１よりも多くのマスカラ液１００を保持することができる。さらに、空間領域１０ａ２に保持されるマスカラ液１００が所定の隙間を通過するように、第一突起１２によって境界が規定されているから、境界を規定する第一突起１２によって、保持したマスカラ液１００をまつげに塗布し、さらに、まつげを梳くことができる。
【００７１】
＜第三の実施形態＞
第三の実施形態について、図２８乃至図３９を参照して、第一の実施形態と相違する点を中心に説明する。
【００７２】
第三の実施形態の櫛部１０Ｂにおいて、上面１０ａには、複数の第一突起１２及び複数の第二突起１４が配置されている。第一突起１２は第一突起要素の一例であり、第二突起１４は第二突起要素の一例である。第一突起１２及び第二突起１４は、全体として細長い円錐形状であり、頂点及び頂点近傍は球面として構成されている。
【００７３】
複数の第一突起１２によって第一突起列ＢＬ１が形成され、複数の第二突起１４によって第二突起列ＢＬ２が形成される。上面１０ａには、複数の第一突起列ＢＬ１と複数の第二突起列ＢＬ２が互いに平行に配置されている。第一突起列ＢＬ１は第一突起要素列の一例であり、第二突起列ＢＬ２は第二突起要素列の一例である。
【００７４】
第一突起１２及び第二突起１４を含む櫛部１０は、プラスチック樹脂を射出成型することによって形成される。プラスチック樹脂は、例えば、ポリエチレン（ｐｏｌｙｅｔｈｙｌｅｎｅ）、ポリプロピレン（ｐｏｌｙｐｒｏｐｙｌｅｎｅ）、ポリアミド（ｐｏｌｙａｍｉｄｅ）である。
【００７５】
図２９は、図２８の櫛部１０Ｂを矢印Ｚ１方向から視た概略平面図である。図２９に示す第一突起１２及び第二突起１４は、根本における断面を示している。第二突起１４の断面直径は第一突起１２の断面直径よりも大きい。
【００７６】
図２９に示すように、複数の第一突起１２は、４つの第一突起１２によってひし形構造Ｓ１を形成するように上面１０ａに配置されている。複数の第一突起１２及び第二突起１４は、２つの第一突起１２と２つの第二突起１４によってひし形構造Ｓ２を形成するように上面１０ａに配置されている。ひし形構造Ｓ１及びひし形構造Ｓ２は、それぞれ複数配置されている。ひし形構造Ｓ１は、各辺を隣接するひし形構造Ｓ１と共有している。ひし形構造Ｓ１及びＳ２は、櫛部１０の軸線Ｂの方向の対角線がそれと直交する直交方向の対角線よりも長いひし形である。ひし形構造Ｓ１によって、所定の隙間が形成されるように構成されている。所定の隙間は、第一突起１２と干渉することがない隙間であり、直交方向に延びる直線状の隙間であって、まつげを梳きつつマスカラ液１００をまつげに塗布するため構成である。ひし形構造Ｓ２によっても、第一突起１２及び第二突起１４と干渉することがない所定の隙間が形成されるように構成されている。
【００７７】
そして、ひし形構造Ｓ１及びＳ２は、櫛部１０の軸線方向の対角線が前記直交方向の対角線よりも長い形状に構成されているから、軸線方向へマスカラ液１００が流れる速度が、直交方向へマスカラ液１００が流れる速度よりも遅い速度調整機構として機能する速度調整部であり、かつ、上面１０ａにおいて、ひし形構造Ｓ１及びＳ２の内側がマスカラ液１００を保持する機能を有する保持部である。
【００７８】
上述の複数のひし形構造Ｓ１及びＳ２を形成するために、複数の第一突起１２及び第二突起１４は以下のように形成され、配置される。
【００７９】
図２９に示すように、第一突起列ＢＬ１は、複数の第一突起１２で構成されている。第一突起列ＢＬ１は、複数の第一突起１２の断面における中心位置が等間隔の長さＬＣとなるように配置されて構成されている。第二突起列ＢＬ２は、複数の第二突起１４で構成されている。第二突起列ＢＬ２は、複数の第二突起１４の断面における中心位置が、上記第一突起列ＢＬ１と同一の長さＬＣで配置されて構成されている。これにより、第一突起列ＢＬ１における隣接する第一突起１２の外周面の間の距離よりも、第二突起列ＢＬ２における隣接する第二突起１４の外周面の間の距離が短くなる。
【００８０】
隣接する第一突起列ＢＬ１の中心線同士の間隔、及び、隣接する第一突起列ＢＬ１と第二突起列ＢＬ２の中心線同士の間隔について、所定の基準間隔の長さＣ１が規定されている。第一突起列ＢＬ１の中心線とは、第一突起列ＢＬ１を構成する複数の第一突起１２の断面の中心を結ぶ線である。第二突起列ＢＬ２の中心線とは、第二突起列ＢＬ２を構成する複数の第二突起１４の断面の中心を結ぶ線である。基準間隔の長さＣ１は、例えば、１．２ｍｍ（ミリメートル）である。
【００８１】
また、第一突起列ＢＬ１及び第二突起列ＢＬ２は、櫛部１０の軸線Ｂに対して、所定の角度θ１を有して配置されている。角度θ１は、０度よりも大きく４５度よりも小さい角度であり、望ましくは２５度以上４５度未満であり、本実施形態においては、３６度である。このような角度θ１を有することにより、軸線方向へのマスカラ液１００の動きを制限するとともに、マスカラ液１００を平均的にまつげへ塗布する直交方向の隙間を構成することができるようになっている。
【００８２】
複数の第一突起列ＢＬ１が、第二突起列ＢＬ２に挟まれた状態で配置されている。例えば、４つの第一突起列ＢＬ１が、２つの第二突起列ＢＬ２に挟まれている。ひし形構造Ｓ１またはひし形構造Ｓ２の内側の領域であって、２つの第二突起列ＢＬ２に挟まれた領域を内側領域１０ａａとする。内側領域１０ａａに保持されたマスカラ液１００は、第二突起列ＢＬ２によって、軸線方向において、外側へ出る動きが制限される。
【００８３】
図３０は、軸線方向において同一の位置である、例えば、櫛部１０Ｂの中央部に位置する第一突起１２及び第二突起１４を側面から視た概略図である。図３０に示すように、第一突起１２と第二突起１４は、同一の高さｈ２を有する。第二突起１４の直径は第一突起１２の直径よりも大きい。第二突起１４の根本部の直径１４ｄ１は、第一突起１２の根本部の直径１２ｄ１よりも大きく、第二突起１４の頂点近傍の直径１４ｄ２は第一突起１２の頂点近傍の直径１２ｄ２よりも大きい。例えば、高さｈ２は１．５ｍｍ（ミリメートル）、直径１４ｄ１は０．３ｍｍ、直径１４ｄ２は０．２６ｍｍ、直径１２ｄ１は０．２５ｍｍ、直径１２ｄ２は０．１７ｍｍである。
【００８４】
第一突起１２及び第二突起１４は、根本部から頂点部近傍に向かって、断面直径が縮小する形状に形成されている。そして、第二突起１４の根本部から頂点近傍へ向かう断面直径の減少率は、第一突起１２の根本部から頂点近傍へ向かう断面直径の減少率よりも小さい。例えば、第二突起１４の根本部の直径１４ｄ１に対する頂点近傍の直径１４ｄ２の割合は０．８７であり、第一突起１２の根本部の直径１２ｄ１に対する頂点近傍の直径１２ｄ２の割合は０．６８である。このため、第二突起１４は、マスカラ液１００の軸線方向への動きを根本部において制限するだけではなく、根本部から頂点近傍にかけての部分においてもマスカラ液１００の軸線方向の動きを効果的に制限することができる。
【００８５】
図３１に示すように、上面１０ａにおいて、第二突起列ＢＬ２によって挟まれた領域として、内側領域１０ａａが形成されている。第一突起１２は、第二突起１４よりも根本部の直径が小さいから、内側領域１０ａａにおいて、単位面積あたり、上面１０ａの相対的に大きい面積が露出している。内側領域１０ａａが、マスカラ液１００を保持する主な領域となっている。そして、第二突起列ＢＬ２が、軸線方向におけるマスカラ１００の動きを制限することによって、マスカラ液１００は内側領域１０ａａにより効果的に保持される。
【００８６】
上面１０ａにおいて、例えば、第一突起１２は１６２個、第二突起１４は４０個配置されているものとする。上面の面積Ｍ１に対する第一突起１２及び第二突起１４が存在しない領域の露出面積Ｍ２の割合（Ｍ２／Ｍ１）である露出比率は、０．８５以上０．９７以下に規定されている。本実施形態において、面積Ｍ１は１２３ｍｍ２（平方ミリメートル）であるとする。第一突起１２の根本の断面積は、０．０４９ｍｍ２（平方ミリメートル）であるから、断面積の合計Ｍ３は７．９４ｍｍ２（平方ミリメートル）である。第二突起１４の根本の断面積は、０．０７１ｍｍ２（平方ミリメートル）であり、第二突起１４は４０個あるから、断面積の合計Ｍ４は２．８４ｍｍ２（平方ミリメートル）である。したがって、露出面積Ｍ２は、１１２．２２ｍｍ２（平方ミリメートル）である。そして、露出比率（Ｍ２／Ｍ１）は、０．９１である。
【００８７】
以下、図３２及び図３３を参照して、マスカラコーム１が容器１０２から引き出されるときの、櫛部１０Ｂの上面１０ａにおけるマスカラ液１００の動きを説明する。
【００８８】
内側領域１０ａａには、第一突起１２が配置されており、マスカラ液１００の流れに対する抵抗になる。図３２に示すように、内側領域１０ａａにおいて、マスカラ液１００は、第一突起１２の存在が抵抗となり、ゆっくりと、かつ、矢印Ｗ１に示すように、蛇行しつつ下方に流れる。
【００８９】
第二突起１４は、第一突起１２よりも直径が大きいから、第二突起列ＢＬ２に接したマスカラ液１００の流れに対する抵抗は、内側領域１０ａａにおける抵抗よりも大きくなり、マスカラ液１００の動きは、より緩慢になる。これにより、上面１０ａに付着したマスカラ液１００は、内側領域１０ａａに保持され易くなる。
【００９０】
第一突起１２及び第二突起１４は、第一突起列ＢＬ１及び第二突起列ＢＬ２を形成するとともに、図３３に示すように、ひし形構造Ｓ１及びＳ２を形成している。すなわち、第一突起１２及び第二突起１４は、多数のひし形構造Ｓ１及びＳ２を形成しつつ、配置されている。ひし形構造Ｓ１及びＳ２によって、上面１０ａにマスカラ液１００が保持され、かつ、まつげ２０２を梳くための構成が形成される。
【００９１】
図３３に示すように、ひし形構造Ｓ１は４つの第一突起１２によって形成されている。隣接する第一突起列ＢＬ１を便宜上、第一突起列ＢＬ１１及び第一突起列ＢＬ１２（図示せず）とする。第一突起列ＢＬ１１において隣接する２つの第一突起１２と、その２つの第一突起１２と対面する第一突起列ＢＬ１２において隣接する２つの第一突起１２によって、ひし形構造Ｓ１を形成するように、第一突起１２が上面１０ａに配置されている。
【００９２】
ひし形Ｓ２は２つの第一突起１２と２つの第二突起１４によって形成されている。隣接する第一突起列ＢＬ１と第二突起列ＢＬ２において、第一突起列ＢＬ１において隣接する２つの第一突起１２と、その２つの第一突起１２と対面する第二突起列ＢＬ２において隣接する２つの第二突起１４によって、ひし形構造Ｓ２を形成するように、第一突起１２及び第二突起１４が上面１０ａに配置されている。
【００９３】
図３２及び図３３に示すように、ひし形構造Ｓ１及びＳ２において、軸線方向の対角線が直交方向の対角線よりも長い。このため、隣接する第一突起１２間、第一突起１２と第二突起１４との間、及び、隣接する第二突起１４間において、軸線方向における距離よりも、直交方向における距離が短い。これにより、マスカラ液１００の軸線方向に流れへの抵抗を大きくし、マスカラ液１００が内側領域１０ａａに効果的に保持される。
【００９４】
ひし形構造Ｓ１及びＳ２において、隣接する第一突起１２及び第二突起１４の断面の中心間の直交方向の距離は、いずれも距離Ｌ１である。第一突起１２の根本部の直径１２ｄ１は、第二突起の根本部の直径１４ｄ１（図３０参照）よりも小さいから、ひし形構造Ｓ２における第一突起１２の外周と第二突起１４の外周間の距離ｗｖ２は、ひし形構造Ｓ１における第一突起１２の外周同士の間の直交方向の距離ｗｖ１よりも短い。そして、ひし形構造Ｓ２における第二突起１４の外周同士の間の距離ｗｖ３は、距離ｗｖ２よりも短い。すなわち、第一突起１２及び第二突起１４は、式４：ｗｖ３＜ｗｖ２＜ｗｖ１、が成立するように配置されている。
【００９５】
図３３に示す矢印Ｙ２方向（下方）へ向かうマスカラ液１００の流れに対する抵抗として、内側領域１０ａａにおける抵抗を抵抗α１、内側領域１０ａａと第二突起列ＢＬ２の境界における抵抗を抵抗α２、第二突起列ＢＬ２における抵抗を抵抗α３とする。上述のように、式４が成立するから、抵抗α３は抵抗α２よりも大きく、抵抗α２は抵抗α１よりも大きい。すなわち、式５：α１＜α２＜α３、が成立する。
【００９６】
上述の式５が成立するように第一突起１２及び第二突起１４が配置されているため、矢印Ｙ２方向へ向かうマスカラ液１００は、下方におけるほど、大きな抵抗を受ける。すなわち、第一突起１２及び第二突起１４は、マスカラ液１００の下方への流れに対して、段階的に大きな抵抗を与えるように構成されている。これにより、第二突起１４には、抵抗α１と抵抗α２によって減速されたマスカラ液１００が到達するから、一層効果的にマスカラ液１００の下方への流れを制限することができる。さらに、第一の実施形態において、図６を参照して説明したように、櫛部１０Ｂの中央から側方（外側）に向かうにつれて、第一突起１２及び／または第二突起１４の高さが高くなるように構成し、側方（外側）の第一突起１２及び／または第二突起１４ほど、所定の高さ（例えば、図６の高さｈ１）における側面視の断面積が大きくなるように構成することによって、軸線方向において下方に向かうほど、大きな抵抗を生じるから、一層効果的にマスカラ液１００の下方への流れを制限することができるようになっている。
【００９７】
次に、図３４乃至図３６を参照して、櫛部１０Ｂによって、まつげ２０２を梳くための構成を詳細に説明する。図３４及び図３５に示すように、第一突起１２及び第二突起１４は、直交方向において直線状に配列され、複数の直線列ＢＣ１を構成している。直線列ＢＣ１の間には直交方向に延びる複数の直線状の隙間Ｆ１が形成されており、まつげ２０２は隙間Ｆ１を通過することによって、マスカラ液１００が全体に塗布され、かつ、梳かれる。
【００９８】
上述のように、第一突起１２及び第二突起１４は、多数のひし形構造Ｓ１及びＳ２を形成しつつ、配置されている。図３６に示すように、ひし形構造Ｓ１及びＳ２において、隣接する第一突起１２及び第二突起１４の断面の中心間の軸線方向の距離は、いずれも距離Ｌ２である。
【００９９】
図３６に示すように、距離Ｌ２は、第一突起１２の断面の半径の２倍よりも長い。これにより、第一突起１２同士の間には距離ｗｈ１の隙間Ｆ１が形成される。距離Ｌ２は、第二突起１４の断面の半径の２倍よりも長い。これにより、第二突起１４同士の間には距離ｗｈ２の隙間が形成される。距離Ｌ２は、第一突起１２の断面の半径と第二突起１４の断面の半径の和よりも大きい。これにより、第一突起１２と第二突起１４の間には距離ｗｈ３の隙間が形成される。これにより、第一突起１２同士の間、第二突起１４同士の間、及び、第一突起１２と第二突起１４の間には、直交方向の隙間Ｆ１が形成される。
【０１００】
距離Ｌ２は、例えば、０．６ｍｍであり、距離ｗｈ１は０．３５ｍｍ、距離ｗｈ２は０．３００ｍｍ、距離ｗｖ３は０．３２５ｍｍである。
【０１０１】
上述のように、第一突起列ＢＬ１及び第二突起列ＢＬ２は、櫛部１０Ｂの軸線Ｂに対して、所定の角度θ１を有して配置されている。角度θ１は、等間隔の長さＬＣと、第一突起１２及び第二突起１４の半径に基づいて、上述の隙間Ｆ１を生じるように規定されている。
【０１０２】
等間隔の長さＬＣが決まっていれば、上述の隙間Ｆ１を形成するように、第一突起列ＢＬ１及び第二突起列ＢＬ２の軸線方向に対する角度θ１が規定される。角度θ１は、ひし形構造Ｓ１及びＳ２の辺の軸線方向に対する角度でもある。
【０１０３】
第一突起１２の半径をＲ１２、第二突起１４の半径をＲ１４とすれば、式２：ＬＣ・ｃｏｓθ１＞Ｒ１２×２、式６：ＬＣ・ｃｏｓθ１＞Ｒ１４×２、及び、式７：ＬＣ・ｃｏｓθ１＞Ｒ１２＋Ｒ１４、を満たすように、角度θ１が規定される。すなわち、角度θ１は、等間隔の長さＬＣと半径Ｒ１２及びＲ１４によって規定される。なお、距離Ｌ２は、式３：Ｌ２＝ＬＣ・ｃｏｓθ１で与えられる。このため、上記式２、６及び７を変形すると、式２Ａ：Ｌ２＞Ｒ１２×２、式６Ａ：Ｌ２＞Ｒ１４×２、及び、式７Ａ：Ｌ２＞Ｒ１２＋Ｒ１４となる。
【０１０４】
上述の式２、６及び７を満たす角度θ１が９０度に近いほど、第二突起列ＢＬ２が延在する方向は直交方向に近くなるから、軸線方向における第二突起１４の配置のばらつきが小さくなる。そうすると、複数のまつげ２０２が隙間を通過するときに、第一突起１２の間だけを通過するまつげ２０２の数と、第一突起１２と第二突起１４の間も通過するまつげ２０２の数の相違が大きくなるから、マスカラ液１００を複数のまつげ２０２に均等に塗布することができない。
【０１０５】
これに対して、所定の角度θ１が０度に近いほど、軸線方向における第二突起１４の配置のばらつきが大きくなるが、隙間Ｆ１が大きくなりすぎる。
【０１０６】
この点、櫛部１０Ｂにおいては、第一突起列ＢＬ１及び第二突起列ＢＬ２は、櫛部１０Ｂの軸線方向に対して上述の角度θ１を有して配置されているから、軸線方向へのマスカラ液１００の流れを効果的に制限するとともに、軸線方向において第二突起１４が適度にばらつき、第一突起１２の間だけを通過するまつげ２０２の数と、第一突起１２と第二突起１４の間も通過するまつげ２０２の数の相違を適度に制限でき、適度な隙間Ｆ１を形成できるから、マスカラ液１００を複数のまつげ２０２に相応な程度に均等に塗布することができる。
【０１０７】
以上のように、ひし形構造１及びＳ２を有する構成は、マスカラ液１００を内側領域１０ａａ及び第二突起列ＢＬ２に保持する保持力と、まつげ２０２に均等にマスカラ液１００を塗布するための構成である。
【０１０８】
図３７乃至図３９を参照して、まつげ２０２にマスカラ液１００が塗布されて、櫛部１０Ｂによってマスカラ液１００が延ばされ、かつ、まつげ２０２が梳かれる状態を説明する。図３７に示すように、上面１０ａの端部１０ａ１１がまつげ２０２の根本に押し当てられると、まつげ２０２の根本にマスカラ液１００が付着する。そして、櫛部１０Ｂをわずかに回動させつつ矢印Ｘ１方向へ移動させると、図３８及び図３９に示すように、マスカラ液１００がまつげ２０２の全体に塗布され、かつ、まつげ２０２は隙間Ｆ１（図３６参照）を通過し、第一突起１２及び第二突起１４と接して梳かれる。
【０１０９】
＜第四実施形態＞
図４０乃至図４２を参照して、第四の実施形態について、第三の実施形態と相違する部分を中心に説明する。
【０１１０】
第四の実施形態の櫛部１０Ｃにおいては、内側領域１０ａａは、ひし形構造Ｓ１またはひし形構造Ｓ２の内側の領域であって、２つの第二突起列ＢＬ２に挟まれた領域である。
【０１１１】
内側領域１０ａａにおいて、第一突起１２または第二突起１４のいずれも配置されていない空間領域１０ａ４が形成されている。空間領域１０ａ４が多量のマスカラ液１００を保持し、空間領域１０ａ４の境界を構成する第一突起１２及び／または第二突起１４が、まつげにマスカラ液１００を塗布し、まつげを梳くことができるように構成されている。
【０１１２】
空間領域１０ａ４は、互いに独立した複数の空間として構成されている。空間領域１０ａ４は、上面１０ａにおいて、直交方向における中心位置を含み、複数の第一突起１２及び／または第二突起１４によって軸線方向及び直交方向の境界が規定される領域であって、第一突起１２及び／または第二突起１４が配置されていない領域である。ここで、直交方向における中心位置とは、軸線Ｂが通過する位置である。
【０１１３】
空間領域１０ａ４は、第一突起１２及び／または第二突起１４が存在しない領域であるから、単位面積当たり、第一領域１０ａ１よりも多くのマスカラ液１００を保持することができる。
【０１１４】
図４１及び図４２に示すように、第四の実施形態の櫛部１０Ｃにおいては、第三の実施形態の櫛部１０Ｂにおいて第一突起１２が配置されていた位置の一部が、露出領域となっている。これにより、図４２に示すように、内側領域１０ａａにおいて、露出面積がより大きくなっており、単位面積当たり、より多くのマスカラ液１００を保持できるようになっている。
【０１１５】
上面１０ａにおいて、例えば、第一突起１２は１４０個、第二突起１４は４０個配置されているものとする。上面の面積Ｍ１に対する第一突起１２及び第二突起１４が存在しない領域の露出面積Ｍ２の割合（Ｍ２／Ｍ１）である露出比率は、０．８５以上０．９７以下に規定されている。本実施形態において、面積Ｍ１は１２３ｍｍ２（平方ミリメートル）であるとする。第一突起１２の根本の断面積は、０．０４９ｍｍ２（平方ミリメートル）であるから、断面積の合計は６．８６ｍｍ２（平方ミリメートル）である。第二突起１４の根本の断面積は、０．０７１ｍｍ２（平方ミリメートル）であり、第二突起１４は４０個あるから、断面積の合計は２．８４ｍｍ２（平方ミリメートル）である。そうすると、第一突起１２と第二突起１４の断面積の合計Ｍ３は９．７ｍｍ２（平方ミリメートル）である。したがって、露出面積Ｍ２は、１１３．３ｍｍ２（平方ミリメートル）である。そして、露出比率（Ｍ２／Ｍ１）は、０．９２である。
【０１１６】
また、図４２に示すように、軸線方向におけるいずれの位置においても、直交方向において、まつげ２０２の両側面が、必ず、第一突起１２または第二突起１４の間を通過するように構成されており、まつげ２０２を梳くことができるようになっている。
【０１１７】
＜第五実施形態＞
図４３乃至図４５を参照して、第五の実施形態について、第四の実施形態と相違する部分を中心に説明する。
【０１１８】
第五の実施形態の櫛部１０Ｄにおいては、内側領域１０ａｂが形成されている。内側領域１０ａｂは、第四の実施形態の内側領域１０ａａと同様に、ひし形構造Ｓ１またはひし形構造Ｓ２の内側の領域であって、２つの第二突起列ＢＬ２に挟まれた領域である。ただし、内側領域１０ａｂは、第四の実施形態の内側領域１０ａａ（図４２参照）よりも軸線方向において長く、面積が大きい。
【０１１９】
内側領域１０ａｂにおいて、第一突起１２または第二突起１４のいずれも配置されていない空間領域１０ａ５が形成されている。空間領域１０ａ５は、第四の実施形態の空間領域１０ａ４よりも軸線方向において長く、面積が大きい。空間領域１０ａ５が多量のマスカラ液１００を保持し、空間領域１０ａ５の境界を構成する第一突起１２が、まつげにマスカラ液１００を塗布し、まつげを梳くことができるように構成されている。
【０１２０】
空間領域１０ａ５は、互いに独立した複数の空間として構成されている。空間領域１０ａ５は、上面１０ａにおいて、直交方向における中心位置を含み、複数の第一突起１２及び／または第二突起１４によって軸線方向及び直交方向の境界が規定される領域であって、第一突起１２及び第二突起１４が配置されていない領域である。ここで、直交方向における中心位置とは、軸線Ｂが通過する位置である。
【０１２１】
上面１０ａにおいて、例えば、第一突起１２は１４０個、第二突起１４は２２個配置されているものとする。上面の面積Ｍ１に対する第一突起１２及び第二突起１４が存在しない領域の露出面積Ｍ２の割合（Ｍ２／Ｍ１）である露出比率は、０．８５以上０．９７以下に規定されている。本実施形態において、面積Ｍ１は１２３ｍｍ２（平方ミリメートル）であるとする。第一突起１２の根本の断面積は、０．０４９ｍｍ２（平方ミリメートル）であり、第一突起１２は１４０個あるから、断面積の合計は６．８６ｍｍ２（平方ミリメートル）である。第二突起１４の根本の断面積は、０．０７１ｍｍ２（平方ミリメートル）であり、第二突起１４は２２個あるから、断面積の合計は１．５６ｍｍ２（平方ミリメートル）である。そうすると、第一突起１２と第二突起１４の断面積の合計Ｍ３は８．４２ｍｍ２（平方ミリメートル）である。したがって、露出面積Ｍ２は、１１４．５８ｍｍ２（平方ミリメートル）である。そして、露出比率（Ｍ２／Ｍ１）は、０．９３である。
【０１２２】
また、図４４及び図４５に示すように、軸線方向におけるいずれの位置においても、直交方向において、まつげ２０２の両側面が、必ず、第一突起１２または第二突起１４の間を通過するように構成されており、まつげ２０２を梳くことができるようになっている。
【０１２３】
＜第六の実施形態＞
第六の実施形態について、図４６及び４７を参照して、第一の実施形態と相違する点を中心に説明する。第六の実施形態の櫛部１０Ｅにおいては、第一突起１２が配置されていない空間領域１０ａ６（図４７参照）が形成されている。空間領域１０ａ６が多量のマスカラ液１００を保持し、空間領域１０ａ６の境界を構成する第一突起１２が、まつげにマスカラ液１００を塗布し、まつげを梳くことができるように構成されている。
【０１２４】
図４７に示すように、第六の実施形態の櫛部１０Ｅにおいては、空間領域１０ａ６が形成されている。空間領域１０ａ６は、第一突起１２によって、軸線方向及び直交方向の境界が画されており、一つの空間として構成されている。空間領域１０ａ６は、上面１０ａにおいて、直交方向における中心位置を含み、複数の第一突起１２によって軸線方向及び直交方向の境界が規定される領域であって、第一突起１２が配置されていない領域である。
【０１２５】
空間領域１０ａ６において、領域Ｅ１及びＥ３にはひし形構造Ｓ１が形成されているが、領域Ｅ２にはひし形構造が形成されていない。これにより、空間領域１０ａ６の直交方向の面積を大きくすることができる。なお、本実施形態とは異なり、領域Ｅ２にもひし形構造Ｓ１を形成する構成としてもよい。
【０１２６】
空間領域１０ａ６は、第一突起１２が存在しない領域であるから、単位面積当たり、第一領域１０ａ１よりも多くのマスカラ液１００を保持することができる。
【０１２７】
また、図４７に示すように、直交方向において、まつげ２０２の両側面が、必ず、第一突起１２の間の隙間を通過するように第一突起１２によって空間領域１０ａ６の境界が規定されており、まつげ２０２を梳くことができるようになっている。
【０１２８】
図４７に示すように、矢印Ｆ１に示す隙間よりも、軸線方向における中央部近傍の矢印Ｆ２に示す隙間が大きい。これにより、マスカラ液１００の塗布時において、中央部近傍におけるマスカラ液１００の流れを相対的に速くし、より多くのマスカラ液をまつげに塗布しつつ、まつげを梳くことができる。
【０１２９】
＜第六の実施形態の変形例（参考例）＞
第六の実施形態の変形例は、ひし形構造Ｓ１を含まない。すなわち、第六の実施形態において、第一突起１２が配置される態様は、ひし形構造Ｓ１を形成しない。具体的には、ひし形構造Ｓ１とは異なり、軸線方向の長さが直交方向の長さよりも短いひし形構造であってもよいし、あるいは、軸線方向の長さと直交方向の長さが等しいひし形構造であってもよい。あるいは、例えば、図４７の領域Ｅ２のみを有する構成とし、まったくひし形構造を含まない構成としてもよい。
【０１３０】
＜第七の実施形態＞
第七の実施形態について、図４８及び４９を参照して、第六の実施形態と相違する点を中心に説明する。第七の実施形態の櫛部１０Ｆにおいては、第一突起１２が配置されていない空間領域１０ａ７（図４９参照）が形成されている。空間領域１０ａ７が多量のマスカラ液１００を保持し、空間領域１０ａ７の境界を構成する第一突起１２が、まつげにマスカラ液１００を塗布し、まつげを梳くことができるように構成されている。
【０１３１】
図４９に示すように、第七の実施形態の櫛部１０Ｆにおいては、空間領域１０ａ７が形成されている。空間領域１０ａ７は、第一突起１２によって、軸線方向及び直交方向の境界が画されており、一つの空間として構成されている。空間領域１０ａ７は、上面１０ａにおいて、直交方向における中心位置を含み、複数の第一突起１２によって軸線方向及び直交方向の境界が規定される領域であって、第一突起１２が配置されていない領域である。
【０１３２】
空間領域１０ａ７において、直交方向の幅が相対的に広い広幅部Ａ１，Ａ３及びA５、相対的に狭い狭幅部Ａ２及びＡ４が形成されており、広幅部と狭幅部は交互に形成されている。マスカラ液１００が広幅部から狭い幅部へ流れるときには速度が低下する。また、広幅部Ａ１等、狭幅部Ａ２等の直交方向における中心位置近傍を結ぶと、矢印Ｂ１乃至Ｂ５となる。矢印Ｂ１乃至Ｂ５で構成される軌跡は、直線的には連続せず、曲折している。このため、矢印Ｂ１乃至Ｂ５で構成される軌跡が直線的である場合に比べて、マスカラ液が流れる速度は低下する。
【０１３３】
上記の構成により、空間領域１０ａ７には、より多くのマスカラ液１００を保持することができる。
【０１３４】
また、図４９に示すように、直交方向において、まつげ２０２の両側面が、必ず、第一突起１２の間の隙間を通過するように第一突起１２によって空間領域１０ａ７の境界が規定されており、まつげ２０２を梳くことができるようになっている。
【０１３５】
図４９に示すように、軸線方向におけるいずれに位置においても、矢印Ｆ１に示す隙間が形成される。これにより、多くのマスカラ液１００をまつげに塗布しつつ、まつげを梳くことができる。
【０１３６】
＜第七の実施形態の変形例（参考例）＞
第七の実施形態の変形例は、ひし形構造Ｓ１を含まない。すなわち、第七の実施形態において、第一突起１２が配置される態様は、ひし形構造Ｓ１を形成しない。具体的には、ひし形構造Ｓ１とは異なり、軸線方向の長さが直交方向の長さよりも短いひし形構造であってもよいし、あるいは、軸線方向の長さと直交方向の長さが等しいひし形構造であってもよい。あるいは、例えば、まったくひし形構造を含まない構成としてもよい。
【０１３７】
なお、本発明のマスカラコームは、上記実施形態に限らず、本発明の要旨を逸脱しない範囲内において種々変更を加えることができる。
【符号の説明】
【０１３８】
１    マスカラコーム
１０，１０Ａ，１０Ｂ，１０Ｃ，１０Ｄ，１０Ｅ，１０Ｆ  櫛部
１０ａ  上面
１０ａ１  第一領域
１０ａ２，１０ａ４，１０ａ５，１０ａ６，１０ａ７ 空間領域
１０ａａ  内側領域
１２  第一突起
１４  第二突起
ＢＬ１  第一突起列
ＢＬ２  第二突起列
５０  ロッド
７０  握り部
１００  マスカラ液
１０２  容器
２０２  まつげ
【要約】
本発明は、使用者が迅速に、ダマを形成することがなく、マスカラ液をまつげに塗布することができるマスカラコームを提供するものである。マスカラコーム１の上面には、ひし形構造を複数形成するように、複数の突起要素１２が配置されており、ひし形構造は、櫛部１０の軸線方向の対角線がそれと直交する直交方向の対角線よりも長いひし形を形成し、かつ、直交方向に延びる直線状の隙間であって、まつげを梳きつつマスカラ液を前記まつげに塗布するための所定の隙間を形成するように構成されており、さらに、ひし形構造は、軸線方向へマスカラ液が流れる速度が、前記直交方向へ前記マスカラ液が流れる速度よりも遅くするための速度調整機構として機能し、ひし形構造の内側がマスカラ液を保持する機能を有する保持部である。【図１】
0006727598.tif 000002
【図２】
0006727598.tif 000003
【図３】
0006727598.tif 000004
【図４】
0006727598.tif 000005
【図５】
0006727598.tif 000006
【図６】
0006727598.tif 000007
【図７】
0006727598.tif 000008
【図８】
0006727598.tif 000009
【図９】
0006727598.tif 000010
【図１０】
0006727598.tif 000011
【図１１】
0006727598.tif 000012
【図１２】
0006727598.tif 000013
【図１３】
0006727598.tif 000014
【図１４】
0006727598.tif 000015
【図１５】
0006727598.tif 000016
【図１６】
0006727598.tif 000017
【図１７】
0006727598.tif 000018
【図１８】
0006727598.tif 000019
【図１９】
0006727598.tif 000020
【図２０】
0006727598.tif 000021
【図２１】
0006727598.tif 000022
【図２２】
0006727598.tif 000023
【図２３】
0006727598.tif 000024
【図２４】
0006727598.tif 000025
【図２５】
0006727598.tif 000026
【図２６】
0006727598.tif 000027
【図２７】
0006727598.tif 000028
【図２８】
0006727598.tif 000029
【図２９】
0006727598.tif 000030
【図３０】
0006727598.tif 000031
【図３１】
0006727598.tif 000032
【図３２】
0006727598.tif 000033
【図３３】
0006727598.tif 000034
【図３４】
0006727598.tif 000035
【図３５】
0006727598.tif 000036
【図３６】
0006727598.tif 000037
【図３７】
0006727598.tif 000038
【図３８】
0006727598.tif 000039
【図３９】
0006727598.tif 000040
【図４０】
0006727598.tif 000041
【図４１】
0006727598.tif 000042
【図４２】
0006727598.tif 000043
【図４３】
0006727598.tif 000044
【図４４】
0006727598.tif 000045
【図４５】
0006727598.tif 000046
【図４６】
0006727598.tif 000047
【図４７】
0006727598.tif 000048
【図４８】
0006727598.tif 000049
【図４９】
0006727598.tif 000050